(57)【要約】【課題】放射性固体廃棄物の最終処分場までの管理を確実に行うことができる放射性固体廃棄物管理バックアップシステムおよび方法を提供する。【解決手段】放射性固体廃棄物管理バックアップシステム１では、放射性固体廃棄物を発送した原子力発電所に設けられた第１の発電所サーバ１０、輸送船サーバ４０および放射性廃棄物管理施設サーバ５０におけるこの放射性固体廃棄物のステータスが変わるたびに、この放射性固体廃棄物の管理データおよびステータスのバックアップ用のバックアップ用データが、第１の発電所サーバ１０以外から任意に選択された第２および第３の発電所サーバ２０，３０の記憶装置２５，３５に、第２および第３の発電所サーバ２０，３０のデータ処理部２１，３１およびステータス処理部２２，３２によって格納される。【選択図】  図１
2006350926.tif 000002
【特許請求の範囲】
【請求項１】
放射性固体廃棄物の発送元事業所にそれぞれ設けられた複数個の発送元事業所サーバ（１０，２０，３０）と、
該複数個の発送元事業所サーバと通信回線（６０）を介して相互に接続された、かつ、前記放射性固体廃棄物を輸送する輸送船に設けられた輸送船サーバ（４０）と、
前記複数個の発送元事業所サーバおよび前記輸送船サーバと前記通信回線を介して相互に接続された、かつ、放射性廃棄物管理施設に設けられた放射性廃棄物管理施設サーバ（５０）と、
を具備する放射性固体廃棄物管理バックアップシステムであって、
前記複数個の発送元事業所サーバ、前記輸送船サーバおよび前記放射性廃棄物管理施設サーバがそれぞれ、
放射性固体廃棄物の管理データを処理するデータ処理部（１１，２１，３１，４１，５１）と、
前記複数個の発送元事業所サーバのうちの放射性固体廃棄物を発送した発送元事業所に設けられた発送元事業所サーバ、前記輸送船サーバおよび前記放射性廃棄物管理施設サーバにおける前記放射性固体廃棄物のステータスを処理するステータス処理部（１２，２２，３２，４２，５２）と、
放射性固体廃棄物の管理データおよびステータスのバックアップ用のバックアップ用データを処理するバックアップ処理部（１６，２６，３６，４６，５６）と、
放射性固体廃棄物の管理データ、ステータスおよびバックアップ用データを送受信するためのデータ送受信部（１３，２３，３３，４３，５３）と、
放射性固体廃棄物の管理データ、ステータスおよびバックアップ用データを格納するための記憶装置（１５，２５，３５，４５，５５）と、
を備え、
前記放射性固体廃棄物を発送した発送元事業所に設けられた発送元事業所サーバ、前記輸送船サーバおよび前記放射性廃棄物管理施設サーバにおける前記発送された放射性固体廃棄物のステータスが変わるたびに、該放射性固体廃棄物のバックアップ用データが、該放射性固体廃棄物を発送した発送元事業所に設けられた発送元事業所サーバ以外から任意に選択された１個以上の発送元事業所サーバの前記記憶装置に、該選択された１個以上の発送元事業所サーバの前記データ処理部および前記ステータス処理部によって格納される、
ことを特徴とする、放射性固体廃棄物管理バックアップシステム。
【請求項２】
前記複数個の発送元事業所サーバの前記バックアップ処理部が、放射性固体廃棄物を発送した発送元事業所に設けられた発送元事業所サーバ以外から１個以上の発送元事業所サーバを任意に選択するバックアップ先選択処理と、放射性固体廃棄物の管理データおよびステータスを暗号化および圧縮してバックアップ用データを作成するバックアップ用データ作成処理とを行い、
前記輸送船サーバの前記バックアップ処理部が、前記バックアップ用データ作成処理を行い、
前記放射性廃棄物管理施設サーバの前記バックアップ処理部が、前記バックアップ用データ作成処理と、バックアップ用データを復号および伸長して放射性固体廃棄物の管理データおよびステータスに戻すバックアップ用データ復号処理とを行う、
ことを特徴とする、請求項１記載の放射性固体廃棄物管理バックアップシステム。
【請求項３】
前記放射性固体廃棄物を発送する発送元事業所において該放射性固体廃棄物を前記輸送船に運搬するための発送処理がなされると、
該発送元事業所に設けられた発送元事業所サーバの前記データ送受信部が、該発送元事業所サーバの前記記憶装置に格納されている前記発送された放射性固体廃棄物の管理データおよびステータスを該発送元事業所サーバの前記バックアップ処理部に出力し、
該バックアップ処理部が、前記バックアップ先選択処理および前記バックアップ用データ作成処理を行ったのち、作成したバックアップ用データおよびバックアップ先選択データを該発送元事業所サーバの前記データ送受信部に出力し、
該データ送受信部が、前記バックアップ先選択データを前記輸送船サーバおよび前記放射線廃棄物管理施設サーバに前記通信回線を介して送信するとともに、前記バックアップ用データを前記バックアップ先選択データが示す前記選択された１個以上の発送元事業所サーバに前記通信回線を介して送信し、
前記選択された１個以上の発送元事業所サーバの前記データ処理部および前記ステータス処理部が、前記放射性固体廃棄物を発送した発送元事業所に設けられた発送元事業所サーバから受信した前記バックアップ用データを該選択された１個以上の発送元事業所サーバの前記記憶装置に格納する、
ことを特徴とする、請求項２記載の放射性固体廃棄物管理バックアップシステム。
【請求項４】
前記輸送船において前記放射性固体廃棄物の受入処理がなされると、
前記輸送船サーバの前記データ送受信部が、該輸送船サーバの前記記憶装置に格納されている該放射性固体廃棄物の管理データおよびステータスを該輸送船サーバの前記バックアップ処理部に出力し、
該バックアップ処理部が、前記バックアップ用データ作成処理を行って作成したバックアップ用データを該輸送船サーバの前記データ送受信部に出力し、
該データ送受信部が、該作成したバックアップ用データを、該放射性固体廃棄物を発送した発送元事業所に設けられた発送元事業所サーバから受信した前記バックアップ先選択データが示す前記選択された１個以上の発送元事業所サーバに前記通信回線を介して送信し、
前記選択された１個以上の発送元事業所サーバの前記データ処理部および前記ステータス処理部が、該選択された１個以上の発送元事業所サーバの前記記憶装置に格納されている前記バックアップ用データを、前記輸送船サーバから受信した前記作成したバックアップ用データに書き換えて該記憶装置に格納する、
ことを特徴とする、請求項２または３記載の放射性固体廃棄物管理バックアップシステム。
【請求項５】
前記輸送船が前記放射性廃棄物管理施設に到着して前記放射性固体廃棄物の荷降し処理がなされると、
前記輸送船サーバの前記データ送受信部が、該輸送船サーバの前記記憶装置に格納されている前記放射性固体廃棄物の管理データおよびステータスを該輸送船サーバの前記バックアップ処理部に出力し、
該バックアップ処理部が、前記バックアップ用データ作成処理を行って作成したバックアップ用データを該輸送船サーバの前記データ送受信部に出力し、
該データ送受信部が、該作成したバックアップ用データを、前記放射性固体廃棄物を発送した発送元事業所に設けられた発送元事業所サーバから受信した前記バックアップ先選択データが示す前記選択された１個以上の発送元事業所サーバに前記通信回線を介して送信し、
前記選択された１個以上の発送元事業所サーバの前記データ処理部および前記ステータス処理部が、該選択された１個以上の発送元事業所サーバの前記記憶装置に格納されている前記バックアップ用データを、前記輸送船サーバから受信した前記作成したバックアップ用データに書き換えて該記憶装置に格納する、
ことを特徴とする、請求項２乃至４いずれかに記載の放射性固体廃棄物管理バックアップシステム。
【請求項６】
前記放射性廃棄物管理施設において前記放射性固体廃棄物の受入処理がなされると、
前記放射性廃棄物管理施設サーバの前記データ送受信部が、該放射性廃棄物管理施設サーバの前記記憶装置に格納されている前記放射性固体廃棄物の管理データおよびステータスを該放射性廃棄物管理施設サーバの前記バックアップ処理部に出力し、
該バックアップ処理部が、前記バックアップ用データ作成処理を行って作成したバックアップ用データを該放射性廃棄物管理施設サーバの前記データ送受信部に出力し、
該データ送受信部が、該作成したバックアップ用データを、前記放射性固体廃棄物を発送した発送元事業所に設けられた発送元事業所サーバから受信した前記バックアップ先選択データが示す前記選択された１個以上の発送元事業所サーバに前記通信回線を介して送信し、
前記選択された１個以上の発送元事業所サーバの前記データ処理部および前記ステータス処理部が、該選択された１個以上の発送元事業所サーバの前記記憶装置に格納されている前記バックアップ用データを、前記放射性廃棄物管理施設サーバから受信した前記作成したバックアップ用データに書き換えて該記憶装置に格納する、
ことを特徴とする、請求項２乃至５いずれかに記載の放射性固体廃棄物管理バックアップシステム。
【請求項７】
前記放射性廃棄物管理施設サーバがデータチェック部（５４）をさらに備え、
前記バックアップ先選択処理において２個の発送元事業所サーバが選択された場合に、前記放射性廃棄物管理施設において前記放射性固体廃棄物の受入処理がなされると、
前記データチェック部が、前記放射性固体廃棄物を発送した発送元事業所に設けられた発送元事業所サーバの前記記憶装置に格納されている該放射性固体廃棄物の管理データおよびステータスと、該放射性廃棄物管理施設サーバの前記記憶装置に格納されている該放射性固体廃棄物の管理データおよびステータスとの突合せチェックを行い、データ不一致が生じると、バックアップ用データ送信要求信号を前記選択された２個の発送元事業所サーバに前記通信回線を介して送信し、
前記選択された２個の発送元事業所サーバの前記データ送受信部が、前記放射性廃棄物管理施設サーバから送信されてくる前記バックアップ用データ送信要求信号に応じて、該選択された２個の発送元事業所サーバの前記記憶装置に格納されている前記バックアップ用データを前記通信回線を介して該放射性廃棄物管理施設サーバに送信し、
該放射性廃棄物管理施設サーバの前記バックアップ処理部が、前記選択された２個の発送元事業所サーバから該放射性廃棄物管理施設サーバの前記データ送受信部を介して受信した前記バックアップ用データに対して前記バックアップ用データ復号処理を行って復号した前記放射性固体廃棄物の管理データおよびステータスを前記データチェック部に出力し、
該データチェック部が、該放射性廃棄物管理施設サーバの前記バックアップ処理部から入力される前記復号された管理データおよびステータスの突合せチェックを行い、両者が一致すると、該管理データおよびステータスを該放射性廃棄物管理施設サーバの前記データ処理部、前記ステータス処理部および前記データ送受信部に出力し、
該放射性廃棄物管理施設サーバの前記データ処理部および前記ステータス処理部が、該放射性廃棄物管理施設サーバの前記記憶装置に格納されている前記放射性固体廃棄物の管理データおよびステータスを、前記データチェック部から入力される管理データおよびステータスに書き換えて該記憶装置に格納し、
該放射性廃棄物管理施設サーバの前記データ送受信部が、前記データチェック部から入力される管理データおよびステータスを、前記放射性固体廃棄物を発送した発送元事業所に設けられた発送元事業所サーバに前記通信回線を介して送信し、
該放射性固体廃棄物を発送した発送元事業所に設けられた発送元事業所サーバの前記データ処理部および前記ステータス処理部が、該発送元事業所サーバの前記記憶装置に格納されている前記放射性固体廃棄物の管理データおよびステータスを、前記放射性廃棄物管理施設サーバから受信した管理データおよびステータスに書き換えて該記憶装置に格納する、
ことを特徴とする、請求項２乃至６いずれかに記載の放射性固体廃棄物管理バックアップシステム。
【請求項８】
前記放射性固体廃棄物を発送した発送元事業所に設けられた発送元事業所サーバの前記データ送受信部が、暗号化処理に関する情報である暗号処理情報を前記輸送船サーバおよび前記放射性廃棄物管理施設サーバにのみ前記通信回線を介して送信することを特徴とする、請求項２乃至６いずれかに記載の放射性固体廃棄物管理バックアップシステム。
【請求項９】
放射性固体廃棄物の発送元事業所に設けられた発送元事業所サーバ（１０）と、該発送元事業所サーバと通信回線（６０）を介して相互に接続された、かつ、前記放射性固体廃棄物を輸送する輸送船に設けられた輸送船サーバ（４０）と、前記発送元事業所サーバおよび前記輸送船サーバと前記通信回線を介して相互に接続された、かつ、放射性廃棄物管理施設に設けられた放射性廃棄物管理施設サーバ（５０）との間で、前記放射性固体廃棄物の管理を行う際に、該放射性固体廃棄物の管理データおよびステータスのバックアップを行うための放射性固体廃棄物管理バックアップ方法であって、
前記放射性固体廃棄物を発送した発送元事業所に設けられた発送元事業所サーバ、前記輸送船サーバおよび前記放射性廃棄物管理施設サーバにおける前記発送された放射性固体廃棄物のステータスが変わるたびに、該放射性固体廃棄物の管理データおよびステータスのバックアップ用のバックアップ用データを、前記放射性固体廃棄物を発送した発送元事業所に設けられた発送元事業所サーバ以外から任意に選択された１個以上の発送元事業所サーバの前記記憶装置に、該選択された１個以上の発送元事業所サーバの前記データ処理部および前記ステータス処理部によって格納するステップ（Ｓ１１〜Ｓ３６）を具備することを特徴とする、放射性固体廃棄物管理バックアップ方法。
【請求項１０】
前記放射性固体廃棄物を発送した発送元事業所に設けられた発送元事業所サーバ以外から２個の発送元事業所サーバが選択された場合に、前記放射性廃棄物管理施設において前記放射性固体廃棄物の受入処理がなされると、
前記放射性廃棄物管理施設サーバのデータチェック部が、前記放射性固体廃棄物を発送した発送元事業所に設けられた発送元事業所サーバの前記記憶装置に格納されている該放射性固体廃棄物の管理データおよびステータスと、該放射性廃棄物管理施設サーバの前記記憶装置に格納されている該放射性固体廃棄物の管理データおよびステータスとの突合せチェックを行い、データ不一致が生じると、バックアップ用データ送信要求信号を前記選択された２個の発送元事業所サーバに前記通信回線を介して送信するステップ（Ｓ４１）と、
前記選択された２個の発送元事業所サーバの前記データ送受信部が、前記放射性廃棄物管理施設サーバから送信されてくる前記バックアップ用データ送信要求信号に応じて、該放射性廃棄物管理施設サーバの前記記憶装置に格納されている前記バックアップ用データを該放射性廃棄物管理施設サーバに前記通信回線を介して送信するステップ（Ｓ４２）と、
該放射性廃棄物管理施設サーバの前記バックアップ処理部が、前記バックアップ用データを前記選択された２個の発送元事業所サーバから該放射性廃棄物管理施設サーバの前記データ送受信部を介して受信すると、前記バックアップ用データ復号処理を行って復号した前記放射性固体廃棄物の管理データおよびステータスを前記データチェック部に出力するステップ（Ｓ４３）と、
該データチェック部が、該放射性廃棄物管理施設サーバの前記バックアップ処理部から入力される前記復号された管理データおよびステータスの突合せチェックを行い、両者が一致すると、該管理データおよびステータスを該放射性廃棄物管理施設サーバの前記データ処理部、前記ステータス処理部および前記データ送受信部に出力するステップ（Ｓ４４）と、
該放射性廃棄物管理施設サーバの前記データ処理部および前記ステータス処理部が、該放射性廃棄物管理施設サーバの前記記憶装置に格納されている前記放射性固体廃棄物の管理データおよびステータスを、前記データチェック部から入力される管理データおよびステータスに書き換えて該記憶装置に格納するステップ（Ｓ４５）と、
該放射性廃棄物管理施設サーバの前記データ送受信部が、前記データチェック部から入力される管理データおよびステータスを、前記放射性固体廃棄物を発送した発送元事業所に設けられた発送元事業所サーバに前記通信回線を介して送信するステップ（Ｓ４５）と、
該放射性固体廃棄物を発送した発送元事業所に設けられた発送元事業所サーバの前記データ処理部および前記ステータス処理部が、該発送元事業所サーバの前記記憶装置に格納されている前記放射性固体廃棄物の管理データおよびステータスを、前記放射性廃棄物管理施設サーバから受信した管理データおよびステータスに書き換えて該記憶装置に格納するステップ（Ｓ４６）と、
をさらに具備することを特徴とする、請求項９記載の放射性固体廃棄物管理バックアップ方法。
【請求項１１】
前記放射性固体廃棄物を発送した発送元事業所に設けられた発送元事業所サーバの前記データ送受信部が、暗号化処理に関する情報である暗号処理情報を前記輸送船サーバおよび前記放射性廃棄物管理施設サーバにのみ前記通信回線を介して送信することを特徴とする、請求項９または１０記載の放射性固体廃棄物管理バックアップ方法。
【発明の詳細な説明】
【技術分野】
【０００１】
本発明は、放射性固体廃棄物管理バックアップシステムおよび放射性固体廃棄物管理バックアップ方法に関し、特に、電力会社の原子力発電所から生じる放射性固体廃棄物を輸送船により放射性廃棄物管理施設（最終処分場）まで運搬して保管するまでの管理に好適な放射性固体廃棄物管理バックアップシステムおよび放射性固体廃棄物管理バックアップ方法に関する。
【背景技術】
【０００２】
電力会社においては、たとえば、原子力発電所で発生した放射性気体廃棄物（放射性物質を含んだ気体の廃棄物）および放射性液体廃棄物（放射性物質を含んだ液体の廃棄物）は、原子力発電所内の廃棄物処理設備で安全に処理したのち、安全を確認した上で放出している。また、原子力発電所で発生した放射性固体廃棄物（原子力発電所で使用したフィルターおよび作業に使った紙や布などを圧縮・焼却したもの（低レベル放射性廃棄物）をドラム缶に詰めたもの。）は、たとえば、原子力発電所内の固体廃棄物貯蔵所で適切に保管したのち、専用の輸送船で放射性廃棄物管理施設（低レベル放射性廃棄物埋設センター）まで輸送して最終処分している。
【０００３】
したがって、放射性気体廃棄物および放射性液体廃棄物については、原子力発電所内で最終的に放出されるため、原子力発電所内で管理すれば足りるが、放射性固体廃棄物については、原子力発電所内で最終処分されるとは限らないために、原子力発電所内での管理では足りず、輸送船による運搬を含めた放射性廃棄物管理施設における最終処分までの管理が必要である。
【０００４】
なお、下記の特許文献１には、物流の状況をリアルタイムで適確に把握することを可能にするために、物品を包装した追跡機能搭載パッケージが備える非接触シングルチップにトレーサビリティデータを無線で書き込み、物品が管理地点を通過する度に、物品を包装した追跡機能搭載パッケージが備える非接触シングルチップに記憶されたトレーサビリティデータを無線で読込むとともに、このトレーサビリティデータを通信回線を介して記憶し、これら記憶されたトレーサビリティデータを利用することにより物流の状況を把握する物流追跡システムが開示されている。
【０００５】
また、下記の特許文献２には、消費者が農作物の生産から加工を経て消費者に届くまでのトレーサビリティを容易に閲覧できて農作物を安心して消費できるようにするために、生産者端末に入力された農作物の生産情報を通信網を介して運営サイトサーバに送信して記憶し、一次加工業者端末に入力された農作物の一次加工情報を通信網を介して運営サイトサーバに送信して記憶し、二次加工業者端末に入力された農作物の二次加工情報を通信網を介して運営サイトサーバに送信して記憶して、運営サイトサーバで生産情報、一次加工情報及び二次加工情報を関連付けて流通トレーサビリティ情報として生成し、この生成された流通トレーサビリティ情報を運営サイトサーバから通信網を介して消費者端末に送信して表示する農作物流通システムが開示されている。
【特許文献１】特開２０００−２３３８０８号公報
【特許文献２】特開２００４−０７８７４３号公報
【発明の開示】
【発明が解決しようとする課題】
【０００６】
放射性固体廃棄物についても、原子力発電所から放射性廃棄物管理施設までの管理を上述した特許文献１，２に開示されているようなホストコンピュータを用いた一括管理とすることも考えられる。しかしながら、このようなホストコンピュータを用いた一括管理では、たとえば、ホストコンピュータに障害が起きた場合には、放射性固体廃棄物の管理機能が喪失してしまうという問題と、その回復に時間を要するという問題とがある。
【０００７】
本発明の目的は、放射性固体廃棄物の放射性廃棄物管理施設までの管理を確実に行うことができる放射性固体廃棄物管理バックアップシステムおよび放射性固体廃棄物管理バックアップ方法を提供することにある。
【課題を解決するための手段】
【０００８】
本発明の放射性固体廃棄物管理バックアップシステム（１）は、放射性固体廃棄物の発送元事業所にそれぞれ設けられた複数個の発送元事業所サーバ（１０，２０，３０）と、該複数個の発送元事業所サーバと通信回線（６０）を介して相互に接続された、かつ、前記放射性固体廃棄物を輸送する輸送船に設けられた輸送船サーバ（４０）と、前記複数個の発送元事業所サーバおよび前記輸送船サーバと前記通信回線を介して相互に接続された、かつ、放射性廃棄物管理施設に設けられた放射性廃棄物管理施設サーバ（５０）とを具備する放射性固体廃棄物管理バックアップシステムであって、前記複数個の発送元事業所サーバ、前記輸送船サーバおよび前記放射性廃棄物管理施設サーバがそれぞれ、放射性固体廃棄物の管理データを処理するデータ処理部（１１，２１，３１，４１，５１）と、前記複数個の発送元事業所サーバのうちの放射性固体廃棄物を発送した発送元事業所に設けられた発送元事業所サーバ、前記輸送船サーバおよび前記放射性廃棄物管理施設サーバにおける前記放射性固体廃棄物のステータスを処理するステータス処理部（１２，２２，３２，４２，５２）と、放射性固体廃棄物の管理データおよびステータスのバックアップ用のバックアップ用データを処理するバックアップ処理部（１６，２６，３６，４６，５６）と、放射性固体廃棄物の管理データ、ステータスおよびバックアップ用データを送受信するためのデータ送受信部（１３，２３，３３，４３，５３）と、放射性固体廃棄物の管理データ、ステータスおよびバックアップ用データを格納するための記憶装置（１５，２５，３５，４５，５５）とを備え、前記放射性固体廃棄物を発送した発送元事業所に設けられた発送元事業所サーバ、前記輸送船サーバおよび前記放射性廃棄物管理施設サーバにおける前記発送された放射性固体廃棄物のステータスが変わるたびに、該放射性固体廃棄物のバックアップ用データが、該放射性固体廃棄物を発送した発送元事業所に設けられた発送元事業所サーバ以外から任意に選択された１個以上の発送元事業所サーバの前記記憶装置に、該選択された１個以上の発送元事業所サーバの前記データ処理部および前記ステータス処理部によって格納されることを特徴とする。
ここで、前記複数個の発送元事業所サーバの前記バックアップ処理部が、放射性固体廃棄物を発送した発送元事業所に設けられた発送元事業所サーバ以外から１個以上の発送元事業所サーバを任意に選択するバックアップ先選択処理と、放射性固体廃棄物の管理データおよびステータスを暗号化および圧縮してバックアップ用データを作成するバックアップ用データ作成処理とを行い、前記輸送船サーバの前記バックアップ処理部が、前記バックアップ用データ作成処理を行い、前記放射性廃棄物管理施設サーバの前記バックアップ処理部が、前記バックアップ用データ作成処理と、バックアップ用データを復号および伸長して放射性固体廃棄物の管理データおよびステータスに戻すバックアップ用データ復号処理とを行ってもよい。
前記放射性固体廃棄物を発送する発送元事業所において該放射性固体廃棄物を前記輸送船に運搬するための発送処理がなされると、該発送元事業所に設けられた発送元事業所サーバの前記データ送受信部が、該発送元事業所サーバの前記記憶装置に格納されている前記発送された放射性固体廃棄物の管理データおよびステータスを該発送元事業所サーバの前記バックアップ処理部に出力し、該バックアップ処理部が、前記バックアップ先選択処理および前記バックアップ用データ作成処理を行ったのち、作成したバックアップ用データおよびバックアップ先選択データを該発送元事業所サーバの前記データ送受信部に出力し、該データ送受信部が、前記バックアップ先選択データを前記輸送船サーバおよび前記放射線廃棄物管理施設サーバに前記通信回線を介して送信するとともに、前記バックアップ用データを前記バックアップ先選択データが示す前記選択された１個以上の発送元事業所サーバに前記通信回線を介して送信し、前記選択された１個以上の発送元事業所サーバの前記データ処理部および前記ステータス処理部が、前記放射性固体廃棄物を発送した発送元事業所に設けられた発送元事業所サーバから受信した前記バックアップ用データを該選択された１個以上の発送元事業所サーバの前記記憶装置に格納してもよい。
前記輸送船において前記放射性固体廃棄物の受入処理がなされると、前記輸送船サーバの前記データ送受信部が、該輸送船サーバの前記記憶装置に格納されている該放射性固体廃棄物の管理データおよびステータスを該輸送船サーバの前記バックアップ処理部に出力し、該バックアップ処理部が、前記バックアップ用データ作成処理を行って作成したバックアップ用データを該輸送船サーバの前記データ送受信部に出力し、該データ送受信部が、該作成したバックアップ用データを、該放射性固体廃棄物を発送した発送元事業所に設けられた発送元事業所サーバから受信した前記バックアップ先選択データが示す前記選択された１個以上の発送元事業所サーバに前記通信回線を介して送信し、前記選択された１個以上の発送元事業所サーバの前記データ処理部および前記ステータス処理部が、該選択された１個以上の発送元事業所サーバの前記記憶装置に格納されている前記バックアップ用データを、前記輸送船サーバから受信した前記作成したバックアップ用データに書き換えて該記憶装置に格納してもよい。
前記輸送船が前記放射性廃棄物管理施設に到着して前記放射性固体廃棄物の荷降し処理がなされると、前記輸送船サーバの前記データ送受信部が、該輸送船サーバの前記記憶装置に格納されている前記放射性固体廃棄物の管理データおよびステータスを該輸送船サーバの前記バックアップ処理部に出力し、該バックアップ処理部が、前記バックアップ用データ作成処理を行って作成したバックアップ用データを該輸送船サーバの前記データ送受信部に出力し、該データ送受信部が、該作成したバックアップ用データを、前記放射性固体廃棄物を発送した発送元事業所に設けられた発送元事業所サーバから受信した前記バックアップ先選択データが示す前記選択された１個以上の発送元事業所サーバに前記通信回線を介して送信し、前記選択された１個以上の発送元事業所サーバの前記データ処理部および前記ステータス処理部が、該選択された１個以上の発送元事業所サーバの前記記憶装置に格納されている前記バックアップ用データを、前記輸送船サーバから受信した前記作成したバックアップ用データに書き換えて該記憶装置に格納してもよい。
前記放射性廃棄物管理施設において前記放射性固体廃棄物の受入処理がなされると、前記放射性廃棄物管理施設サーバの前記データ送受信部が、該放射性廃棄物管理施設サーバの前記記憶装置に格納されている前記放射性固体廃棄物の管理データおよびステータスを該放射性廃棄物管理施設サーバの前記バックアップ処理部に出力し、該バックアップ処理部が、前記バックアップ用データ作成処理を行って作成したバックアップ用データを該放射性廃棄物管理施設サーバの前記データ送受信部に出力し、該データ送受信部が、該作成したバックアップ用データを、前記放射性固体廃棄物を発送した発送元事業所に設けられた発送元事業所サーバから受信した前記バックアップ先選択データが示す前記選択された１個以上の発送元事業所サーバに前記通信回線を介して送信し、前記選択された１個以上の発送元事業所サーバの前記データ処理部および前記ステータス処理部が、該選択された１個以上の発送元事業所サーバの前記記憶装置に格納されている前記バックアップ用データを、前記放射性廃棄物管理施設サーバから受信した前記作成したバックアップ用データに書き換えて該記憶装置に格納してもよい。
前記放射性廃棄物管理施設サーバがデータチェック部（５４）をさらに備え、前記バックアップ先選択処理において２個の発送元事業所サーバが選択された場合に、前記放射性廃棄物管理施設において前記放射性固体廃棄物の受入処理がなされると、前記データチェック部が、前記放射性固体廃棄物を発送した発送元事業所に設けられた発送元事業所サーバの前記記憶装置に格納されている該放射性固体廃棄物の管理データおよびステータスと、該放射性廃棄物管理施設サーバの前記記憶装置に格納されている該放射性固体廃棄物の管理データおよびステータスとの突合せチェックを行い、データ不一致が生じると、バックアップ用データ送信要求信号を前記選択された２個の発送元事業所サーバに前記通信回線を介して送信し、前記選択された２個の発送元事業所サーバの前記データ送受信部が、前記放射性廃棄物管理施設サーバから送信されてくる前記バックアップ用データ送信要求信号に応じて、該選択された２個の発送元事業所サーバの前記記憶装置に格納されている前記バックアップ用データを前記通信回線を介して該放射性廃棄物管理施設サーバに送信し、該放射性廃棄物管理施設サーバの前記バックアップ処理部が、前記選択された２個の発送元事業所サーバから該放射性廃棄物管理施設サーバの前記データ送受信部を介して受信した前記バックアップ用データに対して前記バックアップ用データ復号処理を行って復号した前記放射性固体廃棄物の管理データおよびステータスを前記データチェック部に出力し、該データチェック部が、該放射性廃棄物管理施設サーバの前記バックアップ処理部から入力される前記復号された管理データおよびステータスの突合せチェックを行い、両者が一致すると、該管理データおよびステータスを該放射性廃棄物管理施設サーバの前記データ処理部、前記ステータス処理部および前記データ送受信部に出力し、該放射性廃棄物管理施設サーバの前記データ処理部および前記ステータス処理部が、該放射性廃棄物管理施設サーバの前記記憶装置に格納されている前記放射性固体廃棄物の管理データおよびステータスを、前記データチェック部から入力される管理データおよびステータスに書き換えて該記憶装置に格納し、該放射性廃棄物管理施設サーバの前記データ送受信部が、前記データチェック部から入力される管理データおよびステータスを、前記放射性固体廃棄物を発送した発送元事業所に設けられた発送元事業所サーバに前記通信回線を介して送信し、該放射性固体廃棄物を発送した発送元事業所に設けられた発送元事業所サーバの前記データ処理部および前記ステータス処理部が、該発送元事業所サーバの前記記憶装置に格納されている前記放射性固体廃棄物の管理データおよびステータスを、前記放射性廃棄物管理施設サーバから受信した管理データおよびステータスに書き換えて該記憶装置に格納してもよい。
前記放射性固体廃棄物を発送した発送元事業所に設けられた発送元事業所サーバの前記データ送受信部が、暗号化処理に関する情報である暗号処理情報を前記輸送船サーバおよび前記放射性廃棄物管理施設サーバにのみ前記通信回線を介して送信してもよい。
【０００９】
本発明の放射性固体廃棄物管理バックアップ方法は、放射性固体廃棄物の発送元事業所に設けられた発送元事業所サーバ（１０）と、該発送元事業所サーバと通信回線（６０）を介して相互に接続された、かつ、前記放射性固体廃棄物を輸送する輸送船に設けられた輸送船サーバ（４０）と、前記発送元事業所サーバおよび前記輸送船サーバと前記通信回線を介して相互に接続された、かつ、放射性廃棄物管理施設に設けられた放射性廃棄物管理施設サーバ（５０）との間で、前記放射性固体廃棄物の管理を行う際に、該放射性固体廃棄物の管理データおよびステータスのバックアップを行うための放射性固体廃棄物管理バックアップ方法であって、前記放射性固体廃棄物を発送した発送元事業所に設けられた発送元事業所サーバ、前記輸送船サーバおよび前記放射性廃棄物管理施設サーバにおける前記発送された放射性固体廃棄物のステータスが変わるたびに、該放射性固体廃棄物の管理データおよびステータスのバックアップ用のバックアップ用データを、前記放射性固体廃棄物を発送した発送元事業所に設けられた発送元事業所サーバ以外から任意に選択された１個以上の発送元事業所サーバの前記記憶装置に、該選択された１個以上の発送元事業所サーバの前記データ処理部および前記ステータス処理部によって格納するステップ（Ｓ１１〜Ｓ３６）を具備することを特徴とする。
ここで、前記放射性固体廃棄物を発送した発送元事業所に設けられた発送元事業所サーバ以外から２個の発送元事業所サーバが選択された場合に、前記放射性廃棄物管理施設において前記放射性固体廃棄物の受入処理がなされると、前記放射性廃棄物管理施設サーバのデータチェック部が、前記放射性固体廃棄物を発送した発送元事業所に設けられた発送元事業所サーバの前記記憶装置に格納されている該放射性固体廃棄物の管理データおよびステータスと、該放射性廃棄物管理施設サーバの前記記憶装置に格納されている該放射性固体廃棄物の管理データおよびステータスとの突合せチェックを行い、データ不一致が生じると、バックアップ用データ送信要求信号を前記選択された２個の発送元事業所サーバに前記通信回線を介して送信するステップ（Ｓ４１）と、前記選択された２個の発送元事業所サーバの前記データ送受信部が、前記放射性廃棄物管理施設サーバから送信されてくる前記バックアップ用データ送信要求信号に応じて、該放射性廃棄物管理施設サーバの前記記憶装置に格納されている前記バックアップ用データを該放射性廃棄物管理施設サーバに前記通信回線を介して送信するステップ（Ｓ４２）と、該放射性廃棄物管理施設サーバの前記バックアップ処理部が、前記バックアップ用データを前記選択された２個の発送元事業所サーバから該放射性廃棄物管理施設サーバの前記データ送受信部を介して受信すると、前記バックアップ用データ復号処理を行って復号した前記放射性固体廃棄物の管理データおよびステータスを前記データチェック部に出力するステップ（Ｓ４３）と、該データチェック部が、該放射性廃棄物管理施設サーバの前記バックアップ処理部から入力される前記復号された管理データおよびステータスの突合せチェックを行い、両者が一致すると、該管理データおよびステータスを該放射性廃棄物管理施設サーバの前記データ処理部、前記ステータス処理部および前記データ送受信部に出力するステップ（Ｓ４４）と、該放射性廃棄物管理施設サーバの前記データ処理部および前記ステータス処理部が、該放射性廃棄物管理施設サーバの前記記憶装置に格納されている前記放射性固体廃棄物の管理データおよびステータスを、前記データチェック部から入力される管理データおよびステータスに書き換えて該記憶装置に格納するステップ（Ｓ４５）と、該放射性廃棄物管理施設サーバの前記データ送受信部が、前記データチェック部から入力される管理データおよびステータスを、前記放射性固体廃棄物を発送した発送元事業所に設けられた発送元事業所サーバに前記通信回線を介して送信するステップ（Ｓ４５）と、該放射性固体廃棄物を発送した発送元事業所に設けられた発送元事業所サーバの前記データ処理部および前記ステータス処理部が、該発送元事業所サーバの前記記憶装置に格納されている前記放射性固体廃棄物の管理データおよびステータスを、前記放射性廃棄物管理施設サーバから受信した管理データおよびステータスに書き換えて該記憶装置に格納するステップ（Ｓ４６）とをさらに具備してもよい。
前記放射性固体廃棄物を発送した発送元事業所に設けられた発送元事業所サーバの前記データ送受信部が、暗号化処理に関する情報である暗号処理情報を前記輸送船サーバおよび前記放射性廃棄物管理施設サーバにのみ前記通信回線を介して送信してもよい。
【発明の効果】
【００１０】
本発明の放射性固体廃棄物管理バックアップシステムおよび放射性固体廃棄物管理バックアップ方法は、以下の効果を奏する。
（１）複数個の発送元事業所サーバのうちの放射性固体廃棄物を発送した発送元事業所に設けられた発送元事業所サーバ以外から任意に選択された１個以上の発送元事業所サーバの記憶装置にバックアップ用データを格納することにより、この放射性固体廃棄物を発送した発送元事業所に設けられた発送元事業所サーバおよび放射線廃棄物管理施設サーバの間でこの放射性固体廃棄物の管理データおよびステータスの不一致が生じても、バックアップ用データを用いてこの放射性固体廃棄物の管理データおよびステータスを復元することができるので、放射性固体廃棄物の放射性廃棄物管理施設までの管理を確実に行うことができる。
（２）この放射性固体廃棄物を発送した発送元事業所に設けられた発送元事業所サーバおよび放射性廃棄物管理施設サーバにおけるバックアップ作業の負担軽減を図ることができる。
【発明を実施するための最良の形態】
【００１１】
放射性固体廃棄物の放射性廃棄物管理施設までの管理を確実に行うという目的を、発送された放射性固体廃棄物のステータスが変わるたびに、この放射性固体廃棄物の管理データおよびステータスのバックアップ用のバックアップ用データを、複数個の発送元事業所サーバのうちのこの放射性固体廃棄物を発送した発送元事業所に設けられた発送元事業所サーバ以外から任意に選択された１個以上の発送元事業所サーバの記憶装置に格納することにより実現した。
【実施例１】
【００１２】
以下、本発明の放射性固体廃棄物管理バックアップシステムおよび放射性固体廃棄物管理バックアップ方法の実施例について、図面を参照して説明する。
本発明の一実施例による放射性固体廃棄物管理バックアップシステム１は、図１に示すように、Ａ電力会社のａ原子力発電所に設けられた第１の発電所サーバ１０（発送元事業所サーバ）と、Ｂ電力会社のｂ原子力発電所に設けられた第２の発電所サーバ２０（発送元事業所サーバ）と、Ｃ電力会社のｃ原子力発電所に設けられた第３の発電所サーバ３０（発送元事業所サーバ）と、Ｄ輸送会社に所属するｄ輸送船に設けられた輸送船サーバ４０と、Ｅ管理会社のｅ放射性廃棄物管理施設（放射性固体廃棄物の最終処分場）に設けられた放射性廃棄物管理施設サーバ５０とを具備する。ここで、第１乃至第３の発電所サーバ１０，２０，３０と輸送船サーバ４０と放射性廃棄物管理施設サーバ５０とは、通信回線６０を介して相互に接続されている。
なお、図１には図示していないが、放射性固体廃棄物管理バックアップシステム１は、第１乃至第３の発電所サーバ１０，２０，３０以外にも、Ａ電力会社、Ｂ電力会社およびＣ電力会社の他の原子力発電所や他の電力会社の原子力発電所に設けられた発電所サーバをさらに具備する。
【００１３】
第１の発電所サーバ１０は、放射性固体廃棄物を管理するための管理データ（放射性固体廃棄物の管理データ）を処理するデータ処理部１１と、第１の発電所サーバ１０、輸送船サーバ４０および放射性廃棄物管理施設サーバ５０における放射性固体廃棄物のステータスを処理するステータス処理部１２と、第２および第３の発電所サーバ２０，３０、輸送船サーバ４０および放射性廃棄物管理施設サーバ５０との間で通信回線６０を介して放射性固体廃棄物の管理データおよびステータスや後述するバックアップ用データなどを送受信するためのデータ送受信部１３と、輸送船サーバ４０および放射性廃棄物管理施設サーバ５０との間で放射性固体廃棄物の管理データおよびステータス（管理データ表およびステータス表）の突合せチェックを行うデータチェック部１４と、放射性固体廃棄物の管理データおよびステータスやバックアップ用データなどを格納するための記憶装置１５と、放射性固体廃棄物の管理データおよびステータスのバックアップ用処理を行うバックアップ処理部１６とを備える。
【００１４】
ここで、バックアップ処理部１６において行われるバックアップ用処理は、以下に示す処理を含む。
（１）バックアップ先選択処理：放射性固体廃棄物の管理データおよびステータスのバックアップ先として、第１の発電所サーバ１０以外の発電所サーバのうちから１個以上（好ましくは、２個）の発電所サーバを任意に選択する処理
（２）バックアップ用データ作成処理：放射性固体廃棄物の管理データおよびステータスを暗号化および圧縮してバックアップ用の放射性固体廃棄物の管理データおよびステータス（以下、「バックアップ用データ」と称する。）を作成する処理
（３）バックアップ用データ復号処理：バックアップ用データを復号および伸長して放射性固体廃棄物の管理データおよびステータスに戻す処理
【００１５】
本実施例による放射性固体廃棄物管理バックアップシステム１では、放射性固体廃棄物の管理データは、以下に示すデータが記載された管理データ表として記憶装置１５に格納される。
（１）放射性固体廃棄物（ドラム缶）の番号を表わすドラム缶番号データ
（２）放射性固体廃棄物（ドラム缶）に充填された内容物を表わす内容物データ
（３）放射性固体廃棄物を発送した発送元会社名（たとえば、電力会社名）を表わす発送元会社名データ
（４）放射性固体廃棄物を発送した発送元事業所名（たとえば、原子力発電所名）を表わす発送元事業所名データ
（５）放射性固体廃棄物を発送した年月日を表わす発送年月日データ
（６）放射性固体廃棄物を輸送する輸送船が所属する輸送船所属会社名を表わす輸送船所属会社名データ
（７）放射性固体廃棄物を輸送する輸送船名を表わす輸送船名データ
（８）輸送船が発送元事業所から放射性固体廃棄物を受け入れた年月日を表わす輸送船受入年月日データ
（９）放射性固体廃棄物を輸送船から降ろした年月日を表わす輸送船荷降し年月日データ
（１０）輸送船の過去の輸送実績を表わす輸送実績データ
（１１）輸送船から放射性固体廃棄物を受け入れた放射性廃棄物管理施設が所属する管理会社を表わす受入先会社名
（１２）輸送船から放射性固体廃棄物を受け入れた放射性廃棄物管理施設を表わす受入先事業所名
（１３）放射性廃棄物管理施設が輸送船から放射性固体廃棄物を受け入れた年月日を表わす受入先受入年月日データ
【００１６】
また、放射性固体廃棄物のステータスは、以下に示すステータスが放射性固体廃棄物を発送した発送元事業所（原子力発電所）に設けられた発送元事業所サーバ（第１乃至第３の発電所サーバ１０，２０，３０を含む発電所サーバのうちの１つ）、輸送船サーバ４０および放射性廃棄物管理施設サーバ５０ごとに記載されたステータス表として記憶装置１５に格納される
（１）「発送中」、「受入中」および「先方発送中」：発送元事業所が放射性固体廃棄物を発送したことを表わすステータス
（２）「受入済・輸送中」および「発送済・輸送中」：輸送船が発送元事業所から放射性固体廃棄物を受け入れたことを表わすステータス
（３）「荷降し中」：輸送船が放射性固体廃棄物を荷降ししたことを表わすステータス
（４）「受入済」および「先方受入済」：放射性廃棄物管理施設が輸送船から放射性固体廃棄物を受け入れたことを表わすステータス
【００１７】
第２の発電所サーバ２０は、データ処理部２１と、ステータス処理部２２と、データ送受信部２３と、データチェック部２４と、記憶装置２５と、バックアップ処理部２６とを備える。データ処理部２１、ステータス処理部２２、データ送受信部２３、データチェック部２４、記憶装置２５およびバックアップ処理部２６は、上述した第１の発電所サーバ１０のデータ処理部１１、ステータス処理部１２、データ送受信部１３、データチェック部１４、記憶装置１５およびバックアップ処理部１６と同様の機能を有する。
第３の発電所サーバ３０は、データ処理部３１と、ステータス処理部３２と、データ送受信部３３と、データチェック部３４と、記憶装置３５と、バックアップ処理部３６とを備える。データ処理部３１、ステータス処理部３２、データ送受信部３３、データチェック部３４と、記憶装置３５およびバックアップ処理部３６は、上述した第１の発電所サーバ１０のデータ処理部１１、ステータス処理部１２、データ送受信部１３、データチェック部１４と、記憶装置１５およびバックアップ処理部１６と同様の機能を有する。
不図示の他の発電所サーバも、上述した第１乃至第３の発電所サーバ１０，２０，３０と同様の構成を有する。
【００１８】
輸送船サーバ４０は、データ処理部４１と、ステータス処理部４２と、データ送受信部４３と、データチェック部４４と、記憶装置４５と、バックアップ処理部４６とを備える。
ここで、輸送船サーバ４０のデータ処理部４１、ステータス処理部４２、データ送受信部４３および記憶装置４５は、上述した第１の発電所サーバ１０のデータ処理部１１、ステータス処理部１２、データ送受信部１３および記憶装置１５と同様の機能を有する。
輸送船サーバ４０のバックアップ処理部４６は、バックアップ用データ作成処理を行う点では第１の発電所サーバ１０のバックアップ処理部１６と同じであるが、バックアップ先選択処理およびバックアップ用データ復号処理を行わない点で第１の発電所サーバ１０のバックアップ処理部１６と異なる。
輸送船サーバ４０のデータチェック部４４は、放射性固体廃棄物を発送した発送元事業所に設けられた発電所サーバ（発送元事業所サーバ）および放射性廃棄物管理施設サーバ５０との間で放射性固体廃棄物の管理データおよびステータス（管理データ表およびステータス表）の突合せチェックを行う。
【００１９】
放射性廃棄物管理施設サーバ５０は、データ処理部５１と、ステータス処理部５２と、データ送受信部５３と、データチェック部５４と、記憶装置５５と、バックアップ処理部５６とを備える。
ここで、放射性廃棄物管理施設サーバ５０のデータ処理部５１、ステータス処理部５２、データ送受信部５３および記憶装置５５は、上述した第１の発電所サーバ１０のデータ処理部１１、ステータス処理部１２、データ送受信部１３および記憶装置１５と同様の機能を有する。
放射性廃棄物管理施設サーバ５０のデータチェック部５４は、放射性固体廃棄物を発送した発送元事業所に設けられた発電所サーバ（発送元事業所サーバ）および放射性廃棄物管理施設サーバ５０との間で放射性固体廃棄物の管理データおよびステータス（管理データ表およびステータス表）の突合せチェックを行う。また、データチェック部５４は、放射性固体廃棄物を輸送船から受入処理する際に行った突合せチェックの結果、両者が一致しない場合には、バックアップ先として選択された発電所サーバの記憶装置に格納されているバックアップ用データを用いて、放射性固体廃棄物の管理データおよびステータスの復元処理を行う。
放射性廃棄物管理施設サーバ５０のバックアップ処理部５６は、バックアップ用データ作成処理およびバックアップ用データ復号処理を行う点では第１の発電所サーバ１０のバックアップ処理部１６と同じであるが、バックアップ先選択処理を行わない点で第１の発電所サーバ１０のバックアップ処理部１６と異なる。
【００２０】
次に、本実施例による放射性固体廃棄物管理バックアップシステム１の動作（本発明の一実施例による放射性固体廃棄物管理バックアップ方法）について、平成１７年５月１０日に、Ａ電力会社のａ原子力発電所の放射性固体廃棄物（ドラム缶）貯蔵庫からＤ輸送会社に所属するｄ輸送船でＥ管理会社のｅ放射性廃棄物管理施設に放射性固体廃棄物（ドラム缶番号＝ａ１１および内容物＝使用済みのフィルター）を運搬する場合であって、第２および第３の発電所サーバ２０，３０がバックアップ先の発電所サーバとして選択された場合を例として、図２から図６に示すフローチャートを参照して説明する。
【００２１】
上述した放射性固体廃棄物の管理データが、この放射性固体廃棄物を発送する発送元事業所であるａ原子力発電所に設けられた第１の発電所サーバ１０に第１の入力装置（不図示）を用いて入力される。第１の発電所サーバ１０のデータ処理部１１は、入力された放射性固体廃棄物の管理データに基づいて表１に示すような管理データ表を作成したのち、作成した管理データ表を記憶装置１５に格納する（ステップＳ１１）。なお、この段階では、輸送船受入年月日データ、輸送船荷降し年月日データおよび受入先受入年月日データは入力されない。
【表１】
2006350926.tif 000003
【００２２】
ａ原子力発電所においてこの放射性固体廃棄物を放射性固体廃棄物貯蔵庫からｄ輸送船に運搬するための発送処理がなされると、第１の発電所サーバ１０のステータス処理部１２は、第１の発電所サーバ１０、輸送船サーバ４０および放射性廃棄物管理施設サーバ５０におけるこの放射性固体廃棄物のステータスをそれぞれ「発送中」、「受入中」および「先方発送中」とした表２に示すようなステータス表を作成して、作成したステータス表を記憶装置１５に格納する（ステップＳ１２）。
【表２】
2006350926.tif 000004
【００２３】
続いて、第１の発電所サーバ１０のデータ送受信部１３は、記憶装置１５に格納されているこの放射性固体廃棄物の管理データ表およびステータス表を読み出して、読み出した管理データ表およびステータス表を、この管理データ表の「輸送船名データ」として記載されているｄ輸送船に設けられた輸送船サーバ４０とこの管理データ表の「受入先事業所名データ」として記載されているｅ放射性廃棄物管理施設に設けられた放射性廃棄物管理施設サーバ５０とに通信回線６０を介して送信するとともに、バックアップ処理部１６に出力する（ステップＳ１３）。
【００２４】
輸送船サーバ４０および放射性廃棄物管理施設サーバ５０のデータ処理部４１，５１およびステータス処理部４２，５２は、第１の発電所サーバ１０からデータ送受信部４３，５３を介して受信した管理データ表およびステータス表を記憶装置４５，５５にそれぞれ格納する（ステップＳ１４）。
【００２５】
また、第１の発電所サーバ１０のバックアップ処理部１６は、データ送受信部１３からこの放射性固体廃棄物の管理データ表およびステータス表が入力されると、バックアップ先選択処理を行う。ここでは、第２および第３の発電所サーバ２０，３０がバックアップ先として選択されたとする。
続いて、バックアップ処理部１６は、入力された管理データ表およびステータス表に対してバックアップ用データ作成処理を行ってバックアップ用データを作成する。
続いて、バックアップ処理部１６は、バックアップ先として第２および第３の発電所サーバ２０，３０を選択した旨のデータ（以下、「バックアップ先選択データ」と称する。）と、作成したバックアップ用データと、暗号化処理に関する情報（以下、「暗号処理情報」と称する。）とをデータ送受信部１３に出力する（ステップＳ１５）。
【００２６】
データ送受信部１３は、バックアップ処理部１６から入力されるバックアップ先選択データに基づいて、バックアップ処理部１６から入力されるバックアップ用データを第２および第３の発電所サーバ２０，３０に通信回線６０を介して送信するとともに、バックアップ処理部１６から入力されるバックアップ先選択データおよび暗号処理情報を輸送船サーバ４０と放射性廃棄物管理施設サーバ５０とに通信回線６０を介して送信する（ステップＳ１６）。
【００２７】
バックアップ先として選択された第２および第３の発電所サーバ２０，３０のデータ処理部２１，３１およびステータス処理部２２，３２は、第１の発電所サーバ１０からデータ送受信部２３，３３を介して受信したバックアップ用データを記憶装置２５，３５にそれぞれ格納する（ステップＳ１７）。
このとき、第２および第３の発電所サーバ２０，３０には暗号処理情報が送信されてこないため、第２および第３の発電所サーバ２０，３０のバックアップ処理部２６，３６はこのバックアップ用データを復号することができないので、バックアップ先である第２および第３の発電所サーバ２０，３０の担当者はこのバックアップ用データを見ることはできない。
【００２８】
その後、平成１７年５月１５日にｄ輸送船においてこの放射性固体廃棄物の受入処理がなされると、この放射性固体廃棄物のドラム缶番号データ「ａ１１」と輸送船受入年月日データ「平成１７年５月１５日」とが、第２の入力装置（不図示）を用いて輸送船サーバ４０に入力される。
輸送船サーバ４０のデータ処理部４１は、入力されたドラム缶番号データ「ａ１１」に基づいてこの放射性固体廃棄物の管理データ表を記憶装置４５から読み出し、読み出した管理データ表の「輸送船受入年月日データ」を「平成１７年５月１５日」とした（すなわち、輸送船受入年月日データをこの放射性固体廃棄物の管理データに追加した）のち、管理データ表を記憶装置４５に格納する。
【００２９】
また、輸送船サーバ４０のステータス処理部４２は、入力されたドラム缶番号データ「ａ１１」に基づいてこの放射性固体廃棄物のステータス表を記憶装置４５から読み出し、読み出したステータス表の第１の発電所サーバ１０におけるこの放射性固体廃棄物のステータスを「発送中」から「発送済・輸送中」に書き換え、輸送船サーバ４０におけるこの放射性固体廃棄物のステータスを「受入済・輸送中」に書き換えるとともに、放射性廃棄物管理施設サーバ５０におけるこの放射性固体廃棄物のステータスを「輸送中」に書き換えたのち（表３参照）、ステータス表を記憶装置４５に格納する（以上、ステップＳ１８）。
【表３】
2006350926.tif 000005
【００３０】
続いて、輸送船サーバ４０のデータ送受信部４３は、記憶装置４５に格納されているこの放射性固体廃棄物の管理データ表およびステータス表を読み出して、読み出した管理データ表およびステータス表を、この管理データ表の「発送元事業所名データ」として記載されているａ原子力発電所に設けられた第１の発電所サーバ１０とこの管理データ表の「受入先事業所名データ」として記載されているｅ放射性廃棄物管理施設に設けられた放射性廃棄物管理施設サーバ５０とに通信回線６０を介して送信するとともに、バックアップ処理部４６に出力する（ステップＳ１９）。
【００３１】
第１の発電所サーバ１０および放射性廃棄物管理施設サーバ５０のデータ処理部１１，５１およびステータス処理部１２，５２は、輸送船サーバ４０からデータ送受信部１３，５３を介して受信した管理データ表に記載されているドラム缶番号データ「ａ１１」に基づいてこの放射性固体廃棄物の管理データ表およびステータス表を記憶装置１５，５５から読み出して、読み出したこの放射性固体廃棄物の管理データ表およびステータス表を、輸送船サーバ４０から受信した管理データ表およびステータス表に書き換えたのち、管理データ表およびステータス表を記憶装置１５，５５にそれぞれ格納する（ステップＳ２０）。
【００３２】
また、輸送船サーバ４０のバックアップ処理部４６は、第１の発電所サーバ１０からデータ送受信部４３を介して受信した暗号処理情報に基づいて、データ送受信部４３から入力された管理データ表およびステータス表に対してバックアップ用データ作成処理を行ってバックアップ用データ（バックアップ用の管理データ表およびステータス表）を作成したのち、作成したバックアップ用データをデータ送受信部４３に出力する（ステップＳ２１）。
【００３３】
データ送受信部４３は、第１の発電所サーバ１０から受信したバックアップ先選択データに基づいて、バックアップ処理部４６から入力されるバックアップ用データを通信回線６０を介して第２および第３の発電所サーバ２０，３０に送信する（ステップＳ２２）。
【００３４】
第２および第３の発電所サーバ２０，３０のデータ処理部２１，３１およびステータス処理部２２，２２は、記憶装置２５，３５に格納されているバックアップ用データを、輸送船サーバ４０からデータ送受信部２３，３３を介して受信したバックアップ用データに書き換えたのち、バックアップ用データを記憶装置２５，３５にそれぞれ格納する（ステップＳ２３）。
【００３５】
その後、平成１７年５月３１日にｄ輸送船がｅ放射性廃棄物管理施設に到着したのち、平成１７年６月７日にこの放射性固体廃棄物の荷降し処理がなされると、この放射性固体廃棄物のドラム缶番号データ「ａ１１」と輸送船荷降し年月日データ「平成１７年６月７日」が、第２の入力装置を用いて輸送船サーバ４０に入力される。
輸送船サーバ４０のデータ処理部４１は、入力されたドラム缶番号データ「ａ１１」に基づいてこの放射性固体廃棄物の管理データ表を記憶装置４５から読み出し、読み出した管理データ表の「輸送船荷降し年月日データ」を「平成１７年６月７日」とした（すなわち、輸送船荷降し年月日データをこの放射性固体廃棄物の管理データに追加した）のち、管理データ表を記憶装置４５に格納する。
【００３６】
また、輸送船サーバ４０のステータス処理部４２は、入力されたドラム缶番号データ「ａ１１」に基づいてこの放射性固体廃棄物のステータス表を記憶装置４５から読み出し、読み出したステータス表の第１の発電所サーバ１０におけるこの放射性固体廃棄物のステータスを「発送済・輸送中」から「荷降し中」に書き換え、輸送船サーバ４０におけるこの放射性固体廃棄物のステータスを「受入済・輸送中」から「荷降し中」に書き換えるとともに、放射性廃棄物管理施設サーバ５０におけるこの放射性固体廃棄物のステータスを「輸送中」から「荷降し中」に書き換えたのち（表４参照）、ステータス表を記憶装置４５に格納する（以上、ステップＳ２４）。
【表４】
2006350926.tif 000006
【００３７】
続いて、輸送船サーバ４０のデータ送受信部４３は、記憶装置４５に格納されているこの放射性固体廃棄物の管理データ表およびステータス表を読み出して、読み出した管理データ表およびステータス表を、この管理データ表の「発送元事業所名データ」として記載されているａ原子力発電所に設けられた第１の発電所サーバ１０とこの管理データ表の「受入先事業所名データ」として記載されているｅ放射性廃棄物管理施設に設けられた放射性廃棄物管理施設サーバ５０とに通信回線６０を介して送信するとともに、バックアップ処理部４６に出力する（ステップＳ２５）。
【００３８】
第１の発電所サーバ１０および放射性廃棄物管理施設サーバ５０のデータ処理部１１，５１およびステータス処理部１２，５２は、輸送船サーバ４０からデータ送受信部１３，５３を介して受信した管理データ表に記載されているドラム缶番号データ「ａ１１」に基づいてこの放射性固体廃棄物の管理データ表およびステータス表を記憶装置１５，５５からそれぞれ読み出して、読み出したこの放射性固体廃棄物の管理データ表およびステータス表を、輸送船サーバ４０から送信されてくる管理データ表およびステータス表に書き換えたのち、管理データ表およびステータス表を記憶装置１５，５５にそれぞれ格納する（ステップＳ２６）。
【００３９】
また、輸送船サーバ４０のバックアップ処理部４６は、第１の発電所サーバ１０からデータ送受信部４３を介して受信した暗号処理情報に基づいて、データ送受信部４３から入力された管理データ表およびステータス表に対してバックアップ用データ作成処理を行ってバックアップ用データ（バックアップ用の管理データ表およびステータス表）を作成したのち、作成したバックアップ用データをデータ送受信部４３に出力する（ステップＳ２７）。
【００４０】
データ送受信部４３は、第１の発電所サーバ１０から受信したバックアップ先選択データに基づいて、バックアップ処理部４６から入力されるバックアップ用データを第２および第３の発電所サーバ２０，３０に通信回線６０を介して送信する（ステップＳ２８）。
【００４１】
第２および第３の発電所サーバ２０，３０のデータ処理部２１，３１およびステータス処理部２２，２２は、記憶装置２５，３５に格納されているバックアップ用データを、輸送船サーバ４０からデータ送受信部２３，３３を介して受信したバックアップ用データに書き換えたのち、バックアップ用データを記憶装置２５，３５にそれぞれ格納する（ステップＳ２９）。
【００４２】
その後、平成１７年６月１０日にｅ放射性廃棄物管理施設においてこの放射性固体廃棄物の受入処理がなされると、この放射性固体廃棄物のドラム缶番号データ「ａ１１」と受入先受入年月日データ「平成１７年６月１０日」が、第３の入力装置（不図示）を用いて放射性廃棄物管理施設サーバ５０に入力される。
放射性廃棄物管理施設サーバ５０のデータチェック部５４は、入力されたドラム缶番号データ「ａ１１」に基づいて記憶装置５５からこの放射性固体廃棄物の管理データ表を読出したのち、読み出した管理データ表の「発送元事業所名データ」として記載されているａ原子力発電所に設けられた第１の発電所サーバ１０に、この放射性固体廃棄物の管理データ表およびステータス表の送信を要求する送信要求信号（この放射性固体廃棄物のドラム缶番号データ「ａ１１」を含む。）をデータ送受信部５３および通信回線６０を介して送信する。
【００４３】
第１の発電所サーバ１０のデータ送受信部１３は、放射性廃棄物管理施設サーバ５０から送信されてくる送信要求信号に応じて、この送信要求信号に含まれているこの放射性固体廃棄物のドラム缶番号データ「ａ１１」に基づいて記憶装置１５からこの放射性固体廃棄物の管理データ表およびステータス表を読み出して、通信回線６０を介して放射性廃棄物管理施設サーバ５０に送信する。
放射性廃棄物管理施設サーバ５０のデータチェック部５４は、この放射性固体廃棄物の管理データ表およびステータス表を第１の発電所サーバ１０からデータ送受信部５３を介して受信すると、受信した管理データ表に記載されているこの放射性固体廃棄物のドラム缶番号データ「ａ１１」に基づいて記憶装置５５からこの放射性固体廃棄物の管理データ表およびステータス表を読み出して、受信した管理データ表およびステータス表と読み出した管理データ表およびステータス表との突合せチェックを行う。この突合せチェックの結果、両者が一致すると、データチェック部５４は、その旨とこの放射性固体廃棄物のドラム缶番号データ「ａ１１」と受入先受入年月日データ「平成１７年６月１０日」とをデータ処理部５１に送るとともに、その旨とこの放射性固体廃棄物のドラム缶番号データ「ａ１１」とをステータス処理部５２に出力する（以上、ステップＳ３０）。
【００４４】
データ処理部５１は、両者が一致した旨とこの放射性固体廃棄物のドラム缶番号データ「ａ１１」と受入先受入年月日データ「平成１７年６月１０日」とがデータチェック部５４から入力されると、ドラム缶番号データ「ａ１１」に基づいて記憶装置５５からこの放射性固体廃棄物の管理データ表を読み出し、読み出した管理データ表の「受入先受入年月日データ」を「平成１７年６月１０日」としたのち、管理データ表を記憶装置５５に格納する。
【００４５】
また、ステータス処理部５２は、両者が一致した旨とこの放射性固体廃棄物のドラム缶番号データ「ａ１１」とがデータチェック部５４から入力されると、ドラム缶番号データ「ａ１１」に基づいて記憶装置５５からこの放射性固体廃棄物のステータス表を読み出し、読み出したステータス表の第１の発電所サーバ１０におけるこの放射性固体廃棄物のステータスを「荷降し中」から「先方受入済」に書き換え、輸送船サーバ４０におけるこの放射性固体廃棄物のステータスを削除するとともに、放射性廃棄物管理施設サーバ５０におけるこの放射性固体廃棄物のステータスを「荷降し中」から「受入済」に書き換えたのち（表５参照）、ステータス表を記憶装置５５に格納する（以上、ステップＳ３１）。
【表５】
2006350926.tif 000007
【００４６】
続いて、放射性廃棄物管理施設サーバ５０のデータ送受信部５３は、入力されたこの放射性固体廃棄物のドラム缶番号データ「ａ１１」に基づいて記憶装置５５からこの放射性固体廃棄物の管理データ表およびステータス表を読み出して、読み出した管理データ表およびステータス表を、この管理データ表の「発送元事業所名データ」として記載されているａ原子力発電所に設けられた第１の発電所サーバ１０に通信回線６０を介して送信するとともに、バックアップ処理部５６に出力する。また、データ送受信部５３は、データ削除指示信号（この放射性固体廃棄物のドラム缶番号データ「ａ１１」を含む。）を、この管理データ表の「輸送船名データ」として記載されているｄ輸送船に設けられた輸送船サーバ４０に通信回線６０を介して送信する（ステップＳ３２）。
【００４７】
第１の発電所サーバ１０のデータ処理部１１およびステータス処理部１２は、放射性廃棄物管理施設サーバ５０からデータ送受信部１３を介して受信した管理データ表に記載されているドラム缶番号データ「ａ１１」に基づいて記憶装置１５からこの放射性固体廃棄物の管理データ表およびステータス表を読み出して、読み出した管理データ表およびステータス表を、放射性廃棄物管理施設サーバ５０から受信した管理データ表およびステータス表に書き換えたのち、管理データ表およびステータス表を記憶装置１５に格納する。
また、輸送船サーバ３０のデータ処理部４１およびステータス処理部４２は、放射性廃棄物管理施設サーバ５０からデータ送受信部４３を介してデータ削除指示信号を受信すると、受信したデータ削除指示信号に含まれているドラム缶番号データ「ａ１１」に基づいて、記憶装置４５に格納されているこの放射性固体廃棄物の管理データ表およびステータス表を削除する（以上、ステップＳ３３）。
【００４８】
また、放射性廃棄物管理施設サーバ５０のバックアップ処理部５６は、第１の発電所サーバ１０からデータ送受信部４３を介して受信した暗号処理情報に基づいて、データ送受信部５３から入力された管理データ表およびステータス表に対してバックアップ用データ作成処理を行ってバックアップ用データ（バックアップ用の管理データ表およびステータス表）を作成したのち、作成したバックアップ用データをデータ送受信部５３に出力する（ステップＳ３４）。
【００４９】
データ送受信部５３は、第１の発電所サーバ１０から受信したバックアップ先選択データに基づいて、バックアップ処理部５６から入力されるバックアップ用データを第２および第３の発電所サーバ２０，３０に通信回線６０を介して送信する（ステップＳ３５）。
【００５０】
第２および第３の発電所サーバ２０，３０のデータ処理部２１，３１およびステータス処理部２２，２２は、記憶装置２５，３５に格納されているバックアップ用データを、放射性廃棄物管理施設サーバ５０から受信したバックアップ用データに書き換えたのち、バックアップ用データを記憶装置２５，３５にそれぞれ格納する（ステップＳ３６）。
【００５１】
その後、第１の発電所サーバ１０のデータチェック部１４および放射性廃棄物管理施設サーバ５０のデータチェック部５４はそれぞれ、この放射性固体廃棄物の管理データ表およびステータス表の送信を要求する送信要求信号を定期的に放射性廃棄物管理施設サーバ５０および第１の発電所サーバ１０に送信することにより、上述したステップＳ３０で述べたような突合せチェックを行う（ステップＳ３７）。
これにより、この放射性固体廃棄物の管理データをこの放射性固体廃棄物の発送元および受入先の両方が持ち、かつ、相互の管理データの整合を定期的に取ることができるので、管理データの確度を保証することができる。
【００５２】
なお、ａ原子力発電所からｄ輸送船によりｅ放射性廃棄物管理施設への放射性固体廃棄物の運搬中に、第１の発電所サーバ１０のデータチェック部１４、輸送船サーバ４０のデータチェック部４４および放射性廃棄物管理施設サーバ５０のデータチェック部５４の少なくとも２つがそれぞれ、上述したステップＳ３０で述べたような突合せチェックを任意に行うことにより、放射性固体廃棄物の運搬中における管理データの確度を保証するようにしてもよい。
【００５３】
次に、上述したステップＳ３０，Ｓ３７における突合せチェックにおいてデータ不一致が生じた場合の管理データおよびステータスを復元するときの放射性固体廃棄物管理バックアップシステム１の動作について、図７に示すフローチャートを参照して説明する。
なお、上述したステップＳ３７における突合せチェックにおいてデータ不一致が生じた場合には、第１の発電所サーバ１０のデータチェック部１４の動作については、放射性廃棄物管理施設サーバ５０のデータチェック部５４の動作と同様であるので、説明の簡単のために、放射性廃棄物管理施設サーバ５０のデータチェック部５４が突合せチェックを行ったものとして説明する。
【００５４】
突合せチェックにおいてデータ不一致が生じると、放射性廃棄物管理施設サーバ５０のデータチェック部５４は、バックアップ先である第２および第３の発電所サーバ２０，３０に、この放射性固体廃棄物のバックアップ用データの送信を要求するバックアップ用データ送信要求信号（この放射性固体廃棄物のドラム缶番号データ「ａ１１」を含む。）をデータ送受信部５３および通信回線６０を介して送信する（ステップＳ４１）。
【００５５】
第２および第３の発電所サーバ２０，３０のデータ送受信部２３，３３は、放射性廃棄物管理施設サーバ５０から送信されてくるバックアップ用データ送信要求信号に応じて、このバックアップ用データ送信要求信号に含まれているこの放射性固体廃棄物のドラム缶番号データ「ａ１１」に基づいて記憶装置２５，３５からこの放射性固体廃棄物のバックアップ用データを読み出して、通信回線６０を介して放射性廃棄物管理施設サーバ５０に送信する（ステップＳ４２）。
【００５６】
放射性廃棄物管理施設サーバ５０のデータチェック部５４は、この放射性固体廃棄物のバックアップ用データを第２および第３の発電所サーバ２０，３０からデータ送受信部５３を介して受信すると、バックアップ処理部５６に出力する。バックアップ処理部５６は、暗号処理情報に基づいてデータチェック部５４から入力されるバックアップ用データをこの放射性固体廃棄物の管理データ表およびステータス表に復号して、データチェック部５４に出力する（ステップＳ４３）。
【００５７】
データチェック部５４は、バックアップ処理部５６から入力された第２の発電所サーバ２０からのバックアップ用データから復号された管理データ表およびステータス表と、第３の発電所サーバ３０からのバックアップ用データから復号された管理データ表およびステータス表との突合せチェックを行う。この突合せチェックの結果、両者が一致すると、データチェック部５４は、その旨とこの管理データ表およびステータス表をデータ処理部５１、ステータス処理部５２およびデータ送受信部５３に出力する（ステップＳ４４）。
【００５８】
データ処理部５１およびステータス処理部５２は、データチェック部５４から「両者が一致した」旨が入力されると、データチェック部５４から入力される管理データ表に記載されているドラム缶番号データ「ａ１１」に基づいて記憶装置５５からこの放射性固体廃棄物の管理データ表およびステータス表を読み出して、読み出した管理データ表およびステータス表を、データチェック部５４から受け取った管理データ表およびステータス表に書き換えたのち、管理データ表およびステータス表を記憶装置５５に格納する。
また、データ送受信部５３は、データチェック部５４から受け取った「両者が一致した」旨および管理データ表およびステータス表を、この管理データ表の「発送元事業所名」として記載されている第１の発電所サーバ１０に通信回線６０を介して送信する（以上、ステップＳ４５）。
【００５９】
第１の発電所サーバ１０のデータ処理部１１およびステータス処理部１２は、放射性廃棄物管理施設サーバ５０からデータ送受信部１３を介して「両者が一致した」旨を受信すると、放射性廃棄物管理施設サーバ５０からデータ送受信部１３を介して受信した管理データ表に記載されているドラム缶番号データ「ａ１１」に基づいて記憶装置１５からこの放射性固体廃棄物の管理データ表およびステータス表を読み出して、読み出した管理データ表およびステータス表を、放射性廃棄物管理施設サーバ５０から受信した管理データ表およびステータス表に書き換えたのち、管理データ表およびステータス表を記憶装置１５に格納する（ステップＳ４６）。
これにより、この放射性固体廃棄物の発送元であるａ原子力発電所と受入先である放射性廃棄物管理施設との間でこの放射性固体廃棄物の管理データおよびステータスに不一致が生じても、容易にこの放射性固体廃棄物の管理データおよびステータスを復元することができる。
【００６０】
なお、この管理データおよびステータスの復元動作は、第１の発電所サーバ１０で行ってもよい。
また、第２および第３の発電所サーバ２０，３０のうちのいずれか一方においてこの放射性固体廃棄物のバックアップ用データが喪失した場合には、喪失していないバックアップ用データを用いて管理データおよびステータスの復元動作が行われる。
さらに、第２および第３の発電所サーバ２０，３０の両方においてこの放射性固体廃棄物のバックアップ用データが喪失した場合には、放射性廃棄物管理施設サーバ５０の記憶装置５５に格納されているこの放射性固体廃棄物の管理データ表およびステータス表を第１の発電所サーバ１０に送信して、ａ原子力発電所の担当者がこの管理データ表およびステータス表を確認したのち、データ処理部１１およびステータス処理部１２にこの管理データ表およびステータス表を記憶装置１５に格納させる。
【００６１】
以上の説明では、放射性固体廃棄物をａ原子力発電所（発送元事業所）からｄ輸送船によりｅ放射性廃棄物管理施設に運搬する際に、この放射性固体廃棄物の管理データおよびステータスが第１の発電所サーバ１０（発送元事業所サーバ）、輸送船サーバ４０および放射性廃棄物管理施設サーバ５０の記憶装置１５，４５，５５に、第１の発電所サーバ１０、輸送船サーバ４０および放射性廃棄物管理施設サーバ５０のデータ処理部１１，４１，５１およびステータス処理部１２，４２，５２によってそれぞれ格納されたが、第１の発電所サーバ１０、輸送船サーバ４０および放射性廃棄物管理施設サーバ５０の少なくとも２つの記憶装置１５，４５，５５に格納されるようにしてもよい。
また、突合せチェックはこの放射性固体廃棄物の管理データ表およびステータス表の両方について行ったが、この放射性固体廃棄物の管理データ表についてのみ行ってもよい。
さらに、第１乃至第３の発電所サーバ１０，２０，３０、輸送船サーバ４０および放射性廃棄物管理施設サーバ５０をそれぞれ特定するサーバ識別子（たとえば、サーバ番号）を用いて、第１乃至第３の発電所サーバ１０，２０，３０、輸送船サーバ４０および放射性廃棄物管理施設サーバ５０において認証処理を行うようにしてもよい。
【産業上の利用可能性】
【００６２】
以上説明したように、本発明の放射性固体廃棄物管理バックアップシステムおよび放射性固体廃棄物管理バックアップ方法は、たとえば、電力会社の原子力発電所から生じる放射性固体廃棄物を輸送船により放射性廃棄物管理施設まで運搬して保管するまでの管理を行うのに利用することができる。
【図面の簡単な説明】
【００６３】
【図１】本発明の一実施例による放射性固体廃棄物管理バックアップシステムの構成を示す図である。（実施例１）
【図２】図１に示した放射性固体廃棄物管理バックアップシステム１の動作を説明するためのフローチャートである。（実施例１）
【図３】図１に示した放射性固体廃棄物管理バックアップシステム１の動作を説明するためのフローチャートである。（実施例１）
【図４】図１に示した放射性固体廃棄物管理バックアップシステム１の動作を説明するためのフローチャートである。（実施例１）
【図５】図１に示した放射性固体廃棄物管理バックアップシステム１の動作を説明するためのフローチャートである。（実施例１）
【図６】図１に示した放射性固体廃棄物管理バックアップシステム１の動作を説明するためのフローチャートである。（実施例１）
【図７】図１に示した放射性固体廃棄物管理バックアップシステム１の動作を説明するためのフローチャートである。（実施例１）
【符号の説明】
【００６４】
１  放射性固体廃棄物管理バックアップシステム
１０，２０，３０  発電所サーバ
１１，２１，３１，４１，５１  データ処理部
１２，２２，３２，４２，５２  ステータス処理部
１３，２３，３３，４３，５３  データ送受信部
１４，２４，３４，４４，５４  データチェック部
１５，２５，３５，４５，５５  記憶装置
１６，２６，３６，４６，５６  バックアップ処理部
４０  輸送船サーバ
５０  放射性廃棄物管理施設サーバ
６０  通信回線
Ｓ１１〜Ｓ３７，Ｓ４１〜Ｓ４６  ステップ
【図１】
2006350926.tif 000008
【図２】
2006350926.tif 000009
【図３】
2006350926.tif 000010
【図４】
2006350926.tif 000011
【図５】
2006350926.tif 000012
【図６】
2006350926.tif 000013
【図７】
2006350926.tif 000014